(57)【要約】【課題】  接着剤による固定手段に加え、大型無機質板を躯体に固定し、その脱落が防止された無機質板構造物の提供。【解決手段】  記無機質板が接着剤で前記躯体に固定されており、かつ無機質板の角部に接触しながら、角部に係止された支持部材を備え、当該支持部材の端部が躯体に固定されている無機質板構造物。支持部材は、例えば投げ縄様の形状である。経時的な劣化などで接着剤などによる固定が十分でなくなった場合でも、支持部材が存在するため、無機質板の脱落や、脱落に伴う被害を防ぐことができる。【選択図】  図１
2017179757.tif 000002
【特許請求の範囲】
【請求項１】
躯体と、当該躯体に固定された、化粧面および躯体面を有する無機質板とを備えてなる構造物であって、
前記無機質板が接着剤で前記躯体に固定されており、かつ
前記無機質板の角部に接触しながら、前記角部に係止された支持部材を備え、当該支持部材の端部が前記躯体に固定されていることを特徴とする、構造物。
【請求項２】
前記支持部材が、前記角部の少なくとも一つの稜線に接触しながら係止される、請求項１に記載の構造物。
【請求項３】
前記支持部材が、線材または帯状部材からなる環と、当該環に結合した線材からなる端部とを備えてなり、前記環が、前記角部の少なくとも二つの稜線に接触しながら前記角部に係止される、請求項１または２に記載の構造物。
【請求項４】
前記支持部材が投げ縄様の形状であり、前記環が、前記角部に斜め掛けされてなる、請求項３に記載の構造物。
【請求項５】
前記環が接触する、前記角部の一部に溝が形成され、当該溝において、前記環が係止する、請求項３または４に記載の構造物。
【請求項６】
前記溝が、前記無機質板の化粧面以外の箇所に設けられてなる、請求項５に記載の構造物。
【請求項７】
前記支持部材が、前記無機質板の前記角部を形成する施工面および二つの側面を覆う本体と、前記角部の化粧面に当接するかまたは覆う係止部と、前記面のいずれかまたは係止部に結合された端部と、を備えてなり、前記本体と前記係止部のいずれかまたは双方が前記角部の少なくとも一つの稜線に接触しながら係止されるものである、請求項１または２に記載の構造物。
【請求項８】
前記支持部材を、前記無機質板一枚当たり２以上有し、かつ前記支持部材の端部の前記躯体への固定が、前記無機質板の重心方向に前記支持部材による支持力が働くような位置においてなされている、請求項１〜７のいずれか一項に記載の構造物。
【請求項９】
前記無機質板の上端および下端の角部に前記支持部材が存在する、請求項１〜８のいずれか一項に記載の構造物。
【請求項１０】
前記大型無機質板が短辺９００ｍｍ以上、厚さ１５ｍｍまでのものである、請求項１〜９のいずれか一項に記載の構造物。
【請求項１１】
請求項１〜１０のいずれか一項に記載の構造物の施工方法であって、
無機質板を用意する工程と、
前記無機質板を接着により躯体に張り付ける工程と、
前記支持部材を前記角部において係止する工程と、
前記支持部材の前記端部を、躯体に固定する工程と
を少なくとも含んでなることを特徴とする、方法。
【発明の詳細な説明】
【技術分野】
【０００１】
本発明は、壁などの躯体に固定される大型の無機質板の施工方法に関し、さらに詳しくは接着剤などで貼着する固定手段に加えた固定手段を施すことし、その脱落などを防止できる大型無機質板の施工方法に関する。
【背景技術】
【０００２】
内装または外装材としてタイルなどの無機質板が広く用いられている。これら無機質板の躯体への施工は、接着剤やモルタルなどで張り付けることに行われる。さらに、最近では目地を少なくでき、施工の簡略化や意匠の多様化を実現可能な大型無機質板、さらに薄型の大型陶磁器板が実用化され広く利用されてきており、このような大型無機質板についてもその施工は接着剤などによる張付けが一般的である。
【０００３】
このような大型無機質板を壁面などに施工する場合、経年により剥離や割れが発生しても、脱落並びに脱落に伴う被害を抑止することが必要になる。特に大型無機質板を外装材としてする場合には、脱落並びに脱落に伴う被害を抑止可能な施工システムが重要になる。
【０００４】
このような施工システムとして、接着剤などによる貼着に加えて、無機質板に穴をあけてタッピングビスなどで固定することが行われている。しかしながら、内装・外装材として化粧面を有するものである場合、穴およびビスの頭は化粧面の意匠を損なう恐れがある。また、大型無機質板の場合、専用フレームを用意し、これに嵌め込み大型無機質板を固定する方法も行われているが、フレームが露出することにより意匠を損なう恐れがある。
【０００５】
化粧面の意匠性を損ねない施工方法として、無機質板の片面に非貫通孔を設け、この孔を利用して固定する方法が提案されている（例えば、特開平８−６８１８３号公報（特許文献１）、特開平１１−１５９１０２号公報（特許文献２）、特開２０１５−１０３８０号公報（特許文献３））。しかしながら、これらの方法は大型の無機質板の固定方法としてはその係止力には限度があると考えられる。
【０００６】
従って、大型の無機質板の化粧面の意匠性を損ねず、脱落並びに脱落に伴う被害を抑止可能な施工方法が依然として求められていると言える。
【先行技術文献】
【特許文献】
【０００７】
【特許文献１】特開平８−６８１８３号公報
【特許文献２】特開平１１−１５９１０２号公報
【特許文献３】特開２０１５−１０３８０号公報
【発明の概要】
【発明が解決しようとする課題】
【０００８】
本発明は、接着剤による固定手段に加え、大型無機質板を躯体に固定し、その脱落が防止された無機質板構造物およびその施工方法の提供を目的とする。
【課題を解決するための手段】
【０００９】
そして、本発明による無機質板構造物は、躯体と、当該躯体に固定された、化粧面および躯体面を有する無機質板とを備えてなる構造物であって、
前記無機質板が接着剤で前記躯体に固定されており、かつ
前記無機質板の角部に接触しながら、前記角部に係止された支持部材を備え、当該支持部材の端部が前記躯体に固定されていることを特徴とする。
【００１０】
また、本発明による無機質板構造物の施工方法は、
無機質板を用意する工程と、
前記無機質板を接着により躯体に張り付ける工程と、
前記支持部材を前記角部において係止する工程と、
前記支持部材の前記端部を、躯体に固定する工程と
を少なくとも含んでなることを特徴とする。
【図面の簡単な説明】
【００１１】
【図１】本発明の一つの態様による大型無機質板１が躯体２に固定された状態の図であり、角部に支持部材３が設けられてなる。
【図２】図１の態様における支持部材３の説明図である。
【図３】図２の支持部材３を無機質板１の角部に係止した状態の拡大斜視図であり、ここで、支持部材３の環３１は側面１４から浮いる。
【図４】図２の支持部材３を無機質板１の角部に係止した状態の拡大斜視図であり、ここで、支持部材３の環３１は側面１４に接触している。
【図５】本発明の一つの態様による支持部材の模式図であり、ここでは環３１を帯材で構成した。
【図６】本発明の一つの態様による支持部材の模式図であり、三角柱の袋構造を有し、この袋構造が無機質板の角部を覆うことで係止する。
【図７】本発明の一つの態様による支持部材の模式図であり、無機質板の角部を形成する施工面に当接する面３３と、二つの側面に当接する面３４および３５とを備え、化粧面に当接する係止部が角部の縁に接する帯体３７とされる。
【図８】本発明の一つの態様による支持部材の模式図であり、無機質板の角部を形成する施工面に当接する面３３と、二つの側面に当接する面３４および３５とを備え、化粧面に当接する係止部が角部の縁に接するつめ３８とされる。
【図９】図１に示した本発明による無機質板構造物を複数、隣り合わせて固定した状態の模式図である。
【図１０】目地部に固定点を設けずに支持部材を設ける方法の説明図である。
【発明を実施するための形態】
【００１２】
無機質板構造物
以下、本発明による無機質板構造物を、図面を参照しながら説明する。図１は、本発明の一つの態様による大型無機質板１が躯体２に固定された状態の図である。図中、大型無機質板１は、躯体２に接着剤により固定され、さらにその角部、すなわちコーナーにおいて支持部材３が係止され、この支持部材３は、固定点４において躯体２に固定されている。以下において詳述するように、本発明にあっては、無機質板は接着と、支持部材３との二つの手段により固定される。従って、本発明によれば、経時的な劣化などで接着剤などによる固定が十分でなくなった場合でも、支持部材３によるもう一つの固定手段が存在するため、無機質板の脱落や、脱落に伴う被害を防ぐことができるとの利点が得られる。すなわち、本発明によれば、二重化された固定手段が施された無機質板構造物が提供される。
【００１３】
（１）大型無機質板
本発明による無機質板構造物を構成する大型無機質板は、例えば陶磁器、石、またはガラスからなるものである。本発明において無機質板は、基本的には矩形であり、平板として、外装または内装の壁、床、天井の仕上げ材や、キャビネット面材やカウンターの仕上げ材に好ましく用いられる。その大きさは、本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。また、本発明の一つの態様によれば、本発明は、例えば厚さは３ｍｍ以上８ｍｍ程度まで、望ましくは１０ｍｍ程度までの大型無機質板に好ましく適用できる。
【００１４】
（２）支持部材
図２は、図１の態様における支持部材３の説明図である。この態様において、支持部材３は、線材からなる環３１と、この環３１に結合した線材からなる端部３２を備えてなり、いわゆる投げ縄様の形状を有する。図３は、この図２の支持部材３を無機質板１の角部に係止した状態の拡大斜視図である。図３に示されるように、支持部材３０の環３１の部分を、無機質板１の角部に斜めに掛かり、端部３２が固定点４に固定されると同時に、好ましくは引っ張られることで生じる摩擦力により角部に係止している。
【００１５】
図３において支持部材３は、無機質板１の化粧面１１と側面１３とがつくる稜線１３ａ、および、躯体面１２と側面１３とがつくる稜線１３ｂの、二つの稜線に少なくとも接触している。すなわち、無機質板１の「角部」は、図３を参照して説明すれば、化粧面１１、躯体面１２、側面１３、およびもう一つの側面１４と、さらにそれらのうちの二つずつが、それらの境界線としての稜線１３ａ、１３ｂ、１４ａおよび１４ｂとから形成される。ここで環３１が、少なくとも二つの稜線に接触していれば、支持部材３は係止される。本発明の好ましい態様によれば、図４に示されるように、環３１は、端部３２および固定点４の位置によっては、稜線１３ａ、１３ｂに加え１４ａ、さらには１４ｂに接触して係止されてもよい。
【００１６】
図１は、図３または図４に示されるように支持部材３が、無機質板１の４つの角部に設けられた態様であり、無機質板に対し接着剤による固定手段に加え、支持部材３による固定手段が施される。すなわち、本発明によれば、大型無機質板は二つの手段により固定される。接着剤などによる固定が経時的な劣化などで十分でなくなった場合でも、支持部材３が無機質板１の脱落を防止する。
【００１７】
さらに、この態様にあっては、環３１が線材で形成されており、その結果、化粧面１１にある環３１はその露出面積が少ないため目立たず、大型無機の意匠を損なうことが少ないとの利点が得られる。この線材の材質は、結果として二重化された固定手段として、接着等の第一の固定手段が失われたときにも無機質板を係止することができる強度を有するものであれば特に限定されず、ステンレス鋼線などの金属製のものが好ましく使用される。
【００１８】
さらに本発明の好ましい態様によれば、図４に示されるように、無機質板の角部の一部に、支持部材３の環３１に対応する溝１５が設けれ、この溝に環３１が係合して、より確実に支持部材３を係止することができる。この図において、溝１５は無機質板１の側面１３上にのみ設けられてなるが、化粧面、施工面、さらには側面１４に設けられてもよい。但し、化粧面への溝の形成は、無機質板の意匠への影響を考慮してなされることが好ましい。また、後記する本発明による種々の支持部材に適合するよう、溝の位置および幅を改変できる。
【００１９】
さらに、本発明の別の態様によれば、支持部材３の環３１を、線材に変えて帯材としてもよい。図５は、環３１を帯材で構成した支持部材の模式図である。環３１を帯材とすることで、線材の場合よりも無機質板とより広い面積で接触することが可能になるため、それに伴い係止力が大きくなることが期待できる。また、端部３２を帯材で構成しても良い。
【００２０】
また、本発明の別の態様によれば、支持部材として、無機質板の角部を形成する施工面および二つの側面を覆う本体と、角部の化粧面に当接するかまたは覆う係止部とを備えてなり、前記本体と前記係止部のいずれかまたは双方が前記角部の少なくとも一つの稜線に接触しながら係止されるものを用いることができる。本発明において、本体は無機質板の角部を形成する施工面および二つの側面を覆う三つの面からなることが好ましい。ここで「覆う」とは、支持部材が無機質板に接触する場合もしない場合も包含されるものとする。図６は、この態様の具体例の模式図である。この図に示される支持部材３は、無機質板の角部を形成する施工面を覆う面３３と、二つの側面を覆う面３４および３５とを備えた本体と、さらに化粧面に当接する面３６を備えた係止部と、を備えた三角柱の袋構造を有する。さらに、面３５には端部３２としての線材が結合されてなる。この袋構造の支持部材３は、面３４と、面３３または面３６との境界線３４ａおよび３４ｂと、面３５と、面３３または面３６との境界線３５ａおよび３５ｂを有する。そして、これらの境界線の少なくとも一つが、角部の少なくとも一つの稜線と接触し、その摩擦力により支持部材３は無機質板の角部に係止される。端部３２は躯体の固定点に固定され、好ましくは引っ張られることで生じる摩擦力により角部に係止する。この角部を覆って係止する支持部材３が、経時的な劣化などで接着剤などによる固定が十分でなくなった場合、無機質板１の脱落を有効に防止する。この態様にあっては、好ましくは、面３３、３４、３５および３６のいずれかまたはその二以上が、無機質板の角部を形成する施工面、化粧面、および二つの側面と面で当接してさらに摩擦力を生じ、これによりさらに支持部材３をより強く係止させることができる。
【００２１】
図７は、本発明の別の態様による支持部材を示す模式図である。この態様にあっても、無機質板の角部を形成する施工面および二つの側面を覆う本体と、角部の化粧面に当接するかまたは覆う係止部とを備えてなる。すなわち、支持部材３は、無機質板の角部を形成する施工面を覆う面３３と、二つの側面を覆う面３４および３５とを備えた本体を有する。そして、この態様にあっては、化粧面に当接または覆う係止部は、角部の縁に接する帯体３７とされる。この態様において支持部材３は、面３４と、面３３または帯体３７との境界線３４ａおよび３４ｂと、面３５と、面３３または帯体３７との境界線３５ａおよび３５ｂを有する。そして、これらの境界線の少なくとも一つが、角部の少なくとも一つの稜線と接触し、その摩擦力により支持部材３は無機質板の角部に係止される。経時的な劣化などで接着剤などによる固定が十分でなくなった場合に、帯体３７が無機質板の化粧面と接触してこれを保持し、支持部材３が無機質板１の脱落を有効に防止する。この態様にあっても、面３３、３４、３５および帯体３７のいずれかまたはその二以上が、無機質板の角部を形成する施工面、化粧面、および二つの側面と面で当接してさらに摩擦力を生じ、これによりさらに支持部材３をより強く係止させるよう構成してもよい。
【００２２】
図８は、本発明の別の態様による支持部材を示す模式図である。この態様にあっても、無機質板の角部を形成する施工面および二つの側面を覆う本体と、角部の化粧面に当接するかまたは覆う係止部とを備えてなる。すなわち、支持部材３は、無機質板の角部を形成する施工面を覆う面３３と、二つの側面を覆う面３４および３５とを備えた本体を有する。そして、この態様にあっては、化粧面に当接または覆う係止部は、角部の縁に接するつめ部３８とされる。この態様において支持部材３は、面３４と、面３３またはつめ部３８との境界線３４ａおよび３４ｂと、面３５と、面３３またはつめ部３８との境界線３５ａおよび３５ｂを有する。そして、これらの境界線の少なくとも一つが、角部の少なくとも一つの稜線と接触し、その摩擦力により支持部材３は無機質板の角部に係止される。経時的な劣化などで接着剤などによる固定が十分でなくなった場合に、つめ部３８が無機質板の化粧面と接触してこれを保持し、支持部材３が無機質板１の脱落を有効に防止する。この態様にあっても、面３３、３４、３５およびつめ部３８のいずれかまたはその二以上が、無機質板の角部を形成する施工面、化粧面、および二つの側面と面で当接してさらに摩擦力を生じ、これによりさらに支持部材３をより強く係止させるよう構成してもよい。
【００２３】
図６〜８のいずれの態様にあっても、端部３２は線材で構成してもよく、または帯材で構成してもよい。
【００２４】
（３）施工
次に、上記した本発明による無機質板構造物の製造、換言すれば躯体への無機質板の施工について説明する。本発明による無機質板構造物は、無機質板を用意し、これを（ａ）接着により躯体に張り付ける工程と、（ｂ）支持部材を角部において係止する工程と、（ｃ）支持部材の端部を躯体に固定する工程とにより施工され得る。ここで、工程（ａ）と工程（ｂ）の順序は問わない。すなわち、無機質板を接着で躯体に貼り付けた後に、支持部材を角部に係止しても、また支持部材を角部に係止した後に、無機質板を躯体に張り付ける順序であってもよい。前者の場合、支持部材を角部に係合できる程度に、未だ接着剤が固化していない状態で、工程（ｂ）が行われる。
【００２５】
無機質板の躯体への張り付けは、具体的には、躯体の表面に接着剤を塗布し、無機質板を張り付けることにより行われても、大型無機質板の裏面、すなわち化粧面とは反対側の面に、接着剤を塗布して躯体の表面に張り付けて行われても良い。
【００２６】
躯体張り付けのための接着剤としては、無機質板を躯体に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状またはペースト状の接着剤、ホットメルト接着剤、テープ状に成形されたもののいずれも好適に使用可能である。
【００２７】
無機質板の角部に支持部材を係合させた後、支持部材の端部を躯体に固定する。躯体に設けられる固定点は、結果として二重化された固定手段として、接着等の第一の固定手段が失われたときにも無機質板を支持部材を通じて係止することができる強度を有するものであれば特に限定されず、例えば、ビス、タッピングビス、アンカーボルトなどが挙げられる。端部が線材である場合、これら固定点に巻き付ける等により固定されてよい。
【００２８】
本発明において、支持部材は無機質板一枚当たり２以上設けられることが好ましく、さらに、支持部材の端部の前記躯体への固定点は、無機質板の重心方向に支持力が働くような位置となるよう選択されることが好ましい。このように選択することで、安定に無機質板を支えることができる。さらに例えば無機質板の対角線上にある二点に支持部材を置くことで無機質板を支持することができるが、本発明の好ましい態様によれば、支持部材は、無機質板の上端または下端の角部にそれぞれ二つ置かれることが好ましく、最も好ましくは無機質板の全ての角部に設けられる。
【００２９】
図９は、図１に示した本発明による無機質板構造物を複数、隣り合わせて固定した状態の模式図である。ここで複数の無機質板は、目地５が設けられて設置され、この目地部に固定点４を設ける。目地にある固定点４は、複数の支持部材３の端部３２を固定するために用いられてよい。
【００３０】
他方で、意匠上目地を設けずに複数の無機質板を設置することも求められる。この場合には、次のような方法により、目地部に固定点４を設けずに支持部材３を設定することができる。この方法を、図１０を用いて説明する。
【００３１】
図１０（ａ）は、無機質板を接着により躯体に張り付ける前の躯体の表面を示し、点線で示される領域が、無機質板が張り付けられる場所である。ここで４１は、無機質板に隠れる領域に設けられた固定点であり、線材が係合可能なビス、タッピングビス、アンカーボルトなどである。この図が示すように、端部３２の線材をまず固定点４１に引っ掛けながら、支持部材３を置く。次に、無機質板１を躯体に張り付け、その後、図１０（ｂ）に示されるように、支持部材３の環３１を無機質板１の角部に掛け、端部３２を図中の矢印の方向に引く。これにより、環３１は無機質板１の角部に係止される。その後、図１０（ｃ）に示されるように、無機質板１の外の領域に設けられた固定点４３に端部３２を固定する。この固定点４３は、図１０（ｃ）が示すように、もう一方の角部に係止された支持部材３の固定に用いられてもよい。このように施工された無機質板の図１０の左側には固定点が存在せず、目地を設けず隣に無機質板１をさらに張り付けることができる。
【００３２】
本発明において、無機質板１の施工面と躯体との接着剤による張り付けは、無機質板１と躯体の表面との間に下地材が介在する態様も含まれるものとする。この場合、例えば、躯体が鉄骨等の柱である場合には、板状の下地材が躯体に公知の方法で固定されており、この下地材の表面に無機質板を接着剤で張り付ける。また例えば、既設の壁をリフォームする際に本発明の方法を適用する場合、既設の壁面を下地材として、その上に接着剤を用いて無機質板を張り付けても良い。また例えば、下地材として下地調整モルタルが接着剤層を形成する表面に適用されていても良い。いずれの場合も、固定に用いられるビスやアンカーボルトは躯体に固定されていることが好ましい。
【符号の説明】
【００３３】
１・・大型無機質板、２・・躯体、３・・支持部材、４・・躯体への固定点、５・・目地、１１・・無機質板の化粧面、１２・・無機質板の施工面、１３、１４・・無機質板の側面、１５・・溝、３１・・支持部材の環、３２・・支持部材の端部、３３、３４、３５・・無機質板の角部三面に当接する支持部材の面、３６・・無機質板の化粧面に当接する支持部材の面、３７・・帯部、３８・・つめ部、４１、４２、４３・・固定点
【図１】
2017179757.tif 000003
【図２】
2017179757.tif 000004
【図３】
2017179757.tif 000005
【図４】
2017179757.tif 000006
【図５】
2017179757.tif 000007
【図６】
2017179757.tif 000008
【図７】
2017179757.tif 000009
【図８】
2017179757.tif 000010
【図９】
2017179757.tif 000011
【図１０】
2017179757.tif 000012